(57)【特許請求の範囲】
【請求項１】
ボックス部(１０)と、枢動可能にボックス部に接続された蓋(１１)と、ボックス部(１０)に固定されて上部カラー部(１３)を介してボックス部(１０)から突出するカラー(１２)と、からなるシガレット用ヒンジ蓋付きボックスであって、前記蓋(１１)は、閉じた位置においては上部カラー部(１３)を包囲し、蓋の前部壁（２１）の内側に設けられた蓋の内側フラップ（２８）の領域におけるＵ字状打ち抜きセクションによって形成されるタブが、蓋（１１）が閉じられたとき、カラーの前部壁（３２）の領域における打ち抜きセクションによって同様に形成されるタブのインターロック縁部と係合し、下記の（a）〜（c）を特徴とするヒンジ蓋付きボックス。
（a）Ｕ字状またはＣ字状打ち抜きセクション（３８）によって、蓋の内側フラップ（２８）の領域に形成された固定タブ（３７）は、閉鎖縁部（２９）を指向する関節線（３９）を備え、前記閉鎖縁部（２９）は、蓋の前部壁（２１）と蓋の内側フラップ（２８）によって形成され、蓋（１１）が閉じられたとき、前記固定タブ（３７）は、鋭角をなして上方に配向される。
（b）固定タブ（３７）用の形態整合部材を形成するために、Ｕ字状またはＣ字状打ち抜きセクション（４０）によって、カラーの前部壁（３２）の領域にタブ（４３）が形成され、前記タブ（４３）の関節線が、ボックスの前部壁（１４）によって形成される整合閉鎖縁部（３０）に配向される。
（c）蓋（１１）が閉じられたとき、固定タブ（３７）は、カラーの前部壁（３２）のインターロック縁部（４４）と向き合って接し、前記インターロック縁部は、打ち抜きセクション（４０）によって、カラーの前部壁（３２）の領域に形成される。
【請求項２】
固定タブ（３７）の関節線（３９）は、蓋の内側フラップ（２８）の領域において、蓋側の閉鎖縁部（２９）の直近部位に延出しており、前記閉鎖縁部（２９）は、蓋の内側フラップ（２８）が折り重ねられることのよって形成される点を特徴とする請求項１記載のヒンジ蓋付きボックス。
【請求項３】
タブ（４３）を区画するための打ち抜きセクション（４０）は、カラーの前部壁（３２）の領域に設けられ、残存接続部（４２）を備える打ち抜き線（４１）は、前記タブ（４３）の関節線として、整合閉鎖縁部（３０）の領域に配置されており、前記閉鎖縁部（３０）はボックスの前部壁（１４）によって形成されている点を特徴とする請求項１記載のヒンジ蓋付きボックス。
【請求項４】
蓋の内側フラップ(２８)は、互いに並んで配置され、打ち抜きセクション(３８)によって形成される複数の固定タブ(３７)を備えており、前記固定タブは、斜めの位置に、すなわち、蓋の内側フラップ(２８)の面に対して鋭角をなして配向され、蓋(１１)が閉じた位置においては、上部カラー部(１３)の区域において対応する凹窩部内に進入する点を特徴とする請求項１記載のヒンジ蓋付きボックス。
【請求項５】
突出物(４５)は、ボックス部(１０)内の正確な相対位置に関してカラー(１２)を支持する点を特徴とする請求項１記載のヒンジ蓋付きボックス。
【発明の詳細な説明】
【０００１】
この発明は、ボックス部と、枢動可能にボックス部に接続された蓋と、ボックス部に固定されて上部カラー部を介してボックス部から突出するカラーと、からなるシガレットまたはその他の包装品用のヒンジ蓋付きボックスに関し、前記蓋は、閉じた位置においては上部カラー部を包囲する。
【０００２】
ヒンジ蓋付きボックスすなわちヒンジ蓋付きパックは、今や何十年もの間上記の態様で設計されている。特に、ヒンジ蓋付きボックスを何度も開閉を繰り返すと、蓋の正確な閉鎖位置を維持することによって、１つの特別な問題が課せられる。ヒンジ蓋付きボックスのための様々な閉鎖補助体が知られる。これらの閉鎖補助体は、それらの大部分が、信頼性が低いか、および／または、効果が小さい。別のケースの場合は、そのような閉鎖補助体を備えるヒンジ蓋付きボックスの製造中に問題が発生する。
【０００３】
この発明の目的は、パックの工業的生産に適切であるとともに、使用時に有効な蓋の閉鎖補助体を具備するヒンジ蓋付きボックス、特に、シガレット用のヒンジ蓋付きボックスを提案することである。
【０００４】
この目的を達成するために、この発明のヒンジ蓋付きボックスは、内側に向く突起物すなわちインターロック部材が、蓋の前部壁の内側に配置され、蓋が閉じられたとき、前記突起物すなわちインターロック部材が、形態がフィットする態様で上部カラー部内の窪みすなわち凹窩部中に、正確に言えば、カラーの前部壁中に固定される点に特徴を有する。
【０００５】
この発明のヒンジ蓋付きボックス、または、その閉鎖補助体は、蓋の前部壁の内側、特に、蓋の内側フラップと、ボックス部から突出する自由なカラーの区域とに設けられる、固定部材同士の形態フィット接続に基づく。
【０００６】
蓋の内側フラップの複数の離間した突出部材またはインターロック部材は、蓋の前部壁と蓋の内側フラップによって形成される蓋の縁部に直接隣接するように有利に配置される。したがって、上部カラー部内の窪みすなわち凹窩部は、ボックス部の整合縁部と直接隣り合うように設けられる。
【０００７】
打ち抜きによって形成される複数の枢動タブすなわち凹窩部は、カラーの前部壁の区域に設けられ、他方、蓋の内側フラップは、１つの対応位置に、多少ともＵ字状の打ち抜きカット部によって規定される舌状タブを備え、閉じた位置においては、カラー前部壁の凹窩部内に進入する。
【０００８】
この閉鎖補助体の重要な要素は、ボックス部内におけるカラーの正確な相対位置である。この目的で、適切な調節部材が設けられる。
【０００９】
この発明の別の細部と特徴は、添付図面に図示されたヒンジ蓋付きボックスの模範具体例を参照しつつ、以下に説明する。
【００１０】
ここに図示するヒンジ蓋付きボックスの模範具体例は、特にシガレットのグループを収容することを意図しており、この目的にふさわしい。シガレットは通常、(図示しない)シガレットブロックを形成するために、紙または錫箔製の内側包装材によって囲まれる。前記ブロックは、ヒンジ蓋付きボックス内部とフィットする。
【００１１】
ヒンジ蓋付きボックスは、ボックス部１０と蓋１１とを備える。ボックス部１０内には、底部サブ区域を介してボックス底部１０に固定され、上部カラー部１３を介して、ボックス部１０から突出するカラー１２が配置される。上部カラー部１３は、蓋１１が閉じられた位置(図４参照)においては、蓋１１によって包囲される。
【００１２】
ヒンジ蓋付きボックスは、その標準模範具体例が図２に示されるブランクを備える。打ち抜き線と、長手方向および横断方向の折り曲げ線とがブランクの表面区域を規定し、その結果として、ボックス部１０と、蓋１１とが形成される。ボックス部１０は、ボックス前部壁１４、隣り合う底部壁１５とボックス後部壁１６とを有する。(外側の)ボックス両側部フラップ１７は、ボックス前部壁１４の両横に設けられ、これらに対応して設計された(内側の)ボックス両側部壁１８は、ボックス後部壁１６の両横に設けられる。両底部コーナーフラップ１９は、いずれも、後者のボックス側部フラップに１７に接続され、ヒンジ蓋付きボックスが完成すると、前記両底部コーナーフラップ１９は、底部壁１５の内側と接する。互いに対して割り当てられる２つのボックス側部フラップ１７、１８は、ヒンジ蓋付きボックスが完成すると、いずれも横方向の直立したボックス両側部壁２０を形成するために互いに重なる。
【００１３】
蓋１１も同様な設計を備える、すなわち、蓋の前部壁１２、上部端部壁２２、および、蓋の後部壁２３を備える。(重ねたとき外側になる)蓋の両側部フラップ２４と、(重ねたとき内側になる)蓋の両側部フラップ２５は、二重の層をなすふたの側部壁２７を形成する機能を有する。蓋の両コーナーフラップ２６は、内側になる蓋の両側部フラップ２５に接続される。蓋の内側フラップ２８は、蓋の前部壁２１の自由な境界すなわち自由な側に接続される。ヒンジ蓋付きボックスが完成すると、前記の蓋の内側フラップは、蓋の前部壁２１の内側に向かって折り重ねられ、これに接着剤等によって接合される。
【００１４】
蓋の前部壁２１の自由な境界、すなわち、蓋の内側フラップ２８によって形成される折り曲げ縁部は、ヒンジ蓋付きボックスの上部の蓋側の閉鎖縁部２９を形成する。前記の閉鎖縁部に対応する部材が、ボックス前部壁１４の自由な上部縁部によって形成される整合閉鎖縁部３０である。蓋１１が閉じられると、閉鎖縁部２９は整合閉鎖縁部３０に対向して接触しなければならない。
【００１５】
蓋１１は、それが、蓋の後部壁２３の区域における横断方向のヒンジ線３１を中心に枢動することができるように、ボックス後部壁１６に接続される。
【００１６】
カラー１２は、カラーの前部壁３２、カラーの両側部フラップ３３を備える。カラーの前部壁３２は上部区域、すなわち、上部カラー部１３の区域に凹部３４を備える。前記の凹部は、横断方向の直立凸部３５、および、ボックス前部壁１４の整合閉鎖縁部３０の上方にある底部横断方向ウエブ３６によって区画される。カラーの前部壁３２は、有利にも、ボックスの前部壁１４の内側に接続される。カラーの両側部フラップ３３は、ボックスの両側部壁２０の内側、すなわち、両側部フラップ１８の内側に向かって接触する。
【００１７】
このヒンジ蓋付きボックスの特徴は、閉鎖補助体の構造と配置である。この閉鎖補助体は、蓋の前部壁２１と、カラーの前部壁３２とによって形成される。対応して設計されるインターロック部材は、蓋の前部壁２１の内側または蓋の内側フラップ２８の内側と、カラーの前部壁３２の外側とに設けられ、これらは、蓋１１の実際の閉鎖位置において、すなわち、整合閉鎖縁部３０と対向して接する閉鎖縁部２９と、形態フィットおよび／または力のフィットで互いに係合する。
【００１８】
現行の好ましい模範具体例においては、蓋の内側フラップ２８は、閉鎖縁部２９に直接隣り合って突出物すなわちフック状の固定タブ３７を備える。複数の固定タブ３７、すなわち、今の場合は、３つの固定タブ３７は、一線上に並んで離間される。この固定タブは、蓋の内側フラップ２８内におけるＵ字状またはＣ字状の打ち抜きセクション３８によって形成される。この打ち抜きセクション３８の形状は、両端部の間の関節線３９を備える舌状の固定タブ３７を創り出す。打ち抜きセクション３８は、曲げられることによって蓋の内側フラップ２８から突出する固定タブ３７が、閉鎖縁部２９から離れるフック状部材を形成するように配列される。打ち抜きセクション３８と、その結果生じる固定タブ３７は、小距離４７だけ閉鎖縁部２９から離間される。図３からわかるように、打ち抜きセクション３８の端部脚部の距離、したがって、閉鎖端部２９から形成される関節線３９の距離は、大体0.5mm〜3mm、特定すれば、1.5mm〜2mmである。
【００１９】
固定タブ３７は、カラーの前部壁３２の区域において整合部材と相互作用を行う。正確に言えば、整合閉鎖縁部３０とじかに隣り合う。整合閉鎖部３０には、窪みすなわち凹窩部が、固定タブ３７の数に対応する数だけ形成され、前記窪みまたは凹窩部は、同様に、Ｕ字状またはＣ字状の打ち抜きセクション４０によって形成される。横断方向を指向する打ち抜き線４１は、前記打ち抜きセクション４０の直ぐ下に設けられる。これらの打ち抜き線は、打ち抜きセクション４０の端部から距離を置いて終わるので、小さな残存接続部４２が残る。タブ４３は、このように、内側に向かって枢動して、打ち抜きセクション４０によって形成されるインターロック縁部４４を備える凹窩部を形成する。
【００２０】
ヒンジ蓋付きボックスが閉じられると、上記のインターロック部材が、その一方が他方の内側に形態フィットで係合する(図７参照)。内側に突出する固定タブ３７は、タブ４３を後退させて、前記タブ４３によって開放される凹窩部内に進入し、インターロック縁部４４と接して固定される。蓋１１が開かれるときは、固定タブ４７は、蓋１１が容易に開放位置に枢動されるように変形される。
【００２１】
固定タブ３７を収容するために、カラーの前部壁３２の区域に完全な開口を形成することも可能である。
【００２２】
閉鎖補助体を効果的にするためには、カラー１２を正確ににボックスパート１０内に配置することが重要である。現模範具体例においては、カラー１２はボックスパート１０内において、調節用突出物の上に支持される。図示の模範具体例においては、両側にある内側のボックスの両側部フラップに突出物４５が形成される。前記突出物は、横断方向の打ち抜きセクション４６と、材料の内側を向くエンボス模様または湾曲模様を備える。横断方向の打ち抜きセクション４６はこうしてカラーの両側部フラップ３３のための支持縁部を形成する(図６参照)。これらの突出物４５を正確に配置する結果、カラーがボックスパート内に常に正しく位置して、固定部材となるする結果となる。
【００２３】
カラーの前部壁３２の区域における打ち抜きセクション４０は、「底部」打ち抜き線４１が、整合閉鎖縁部３０の区域に、特に、同じ平面内に位置するように配置される。
【００２４】
上記の閉鎖補助体は、丸い縁部の輪郭、すなわち、円形の直立パック縁部を持つヒンジ蓋付きボックス、または、斜めの縁部、すなわち、多角形の輪郭を持つヒンジ蓋付きボックスに特に有利であるとともに重要である。
【００２５】
参照符号一覧
１０…ボックス部，１１…蓋，１２…カラー，１３…上部カラー部，１４…ボックス前部壁，１５…底部壁，１６…ボックス後部壁，１７…ボックス側部フラップ，１８…ボックス側部フラップ，１９…底部コーナーフラップ，２０…ボックス側部壁，２１…蓋の前部壁，２２…端部壁，２３…蓋の後部壁，２４…蓋の側部フラップ，２５…蓋の側部フラップ，２６…蓋のコーナーフラップ，２７…蓋の側部壁，２８…蓋の内側フラップ，２９…閉鎖縁部，３０…整合閉鎖縁部，３１…ヒンジ線，３２…カラーの前部壁，３３…カラーの側部フラップ，３４…凹部，３５…凸部，３６…横断方向ウエブ，３７…固定タブ，３８…打ち抜きセクション，３９…関節線，４０…打ち抜きセクション，４１…打ち抜き線，４２…残存接続部，４３…タブ，４４…インターロック縁部，４５…突出部，４６…横断方向打ち抜きセクション，４７…距離。
【図面の簡単な説明】
【図１】  蓋が開いた位置にある空のヒンジ蓋付きボックスの斜視図。
【図２】  図１のヒンジ蓋付きボックスを製造するための展開ブランク。
【図３】  蓋の区域における図２のブランクの一部の拡大図。
【図４】  閉じた位置における図１のヒンジ蓋付きボックスの、正確には、正面図。
【図５】  図４のヒンジ蓋付きボックスの側面図。
【図６】  垂直断面図における図４の細部VIの拡大図。
【図７】  図６と対応する図５の細部VIIを示す図。
【図８】  展開ブランクとしてのヒンジ蓋付きボックスのカラーを示す。
【図１】
0004485725.tif 000002
【図２】
0004485725.tif 000003
【図３】
0004485725.tif 000004
【図４】
0004485725.tif 000005
【図５】
0004485725.tif 000006
【図６】
0004485725.tif 000007
【図７】
0004485725.tif 000008
【図８】
0004485725.tif 000009